(57)【要約】【課題】  簡単な構成で、散乱光による高い装飾効果や演出効果を実現することができる発光装置を提供する。【解決手段】  ＬＥＤ１２から出射する光を散乱板２２で散乱させ、さらに、この散乱光を集光レンズ２３で所定に集光する。これにより、発光装置１は、簡単な構成で、メリハリの利いた強烈な散乱光を発光することができる。そして、このようにメリハリの利いた強烈な散乱光を装飾光や演出光として使用することにより、散乱光による高い装飾効果や演出効果を実現することができる。【選択図】  図１
2006223762.tif 000002
【特許請求の範囲】
【請求項１】
光源と、
前記光源から入射する光を散乱させて出射する散乱手段と、
前記散乱手段に空隙を介して対向し、前記散乱手段から入射する散乱光を集光させて出射する集光手段と
を具備したことを特徴とする発光装置。
【請求項２】
前記光源と前記散乱手段との間に、導光板を介装したことを特徴とする請求項１記載の発光装置。
【請求項３】
請求項１または請求項２記載の発光装置を搭載したことを特徴とする遊技機。
【発明の詳細な説明】
【技術分野】
【０００１】
本発明は、特に、機器の装飾や演出に好適な光を発光する発光装置、及びこれを搭載した遊技機に関する。
【背景技術】
【０００２】
一般に、パチンコ機やスロットマシーン或いはゲーム機等の遊技機においては、機器の装飾や演出等を目的として、遊技盤やその前枠等に各種の発光装置を具備している。この種の遊技機等に適用される発光装置の１つとして、発光ダイオード（ＬＥＤ）等の光源から出射する光を光学部材で散乱させることにより、機器の装飾効果や演出効果等の向上を図るものがある。例えば、特許文献１には、表面が曲面状に形成されるとともに、裏面に複数の凹状溝が刻設された光路形成体（光学部材）によって、ＬＥＤからの出射光を広角に散乱させる技術が開示されている。
【特許文献１】特開２００２−２６３２６７公報
【発明の開示】
【発明が解決しようとする課題】
【０００３】
しかしながら、上述の特許文献１に開示された技術のように光を広角に散乱させた場合、発光装置が発する散乱光はメリハリの少ないぼやけたものとなり、ユーザに対して十分に強いインパクトを与えることが困難な場合がある。これに対処し、散乱光によるインパクトを向上すべく、光源の増設等を行うと、発光装置の構造を複雑化等を招く。
【０００４】
本発明は、簡単な構成で、散乱光による高い装飾効果や演出効果を実現することができる発光装置、及びこれを搭載した遊技機を提供することを目的とする。
【課題を解決するための手段】
【０００５】
本発明は、光源と、前記光源から入射する光を散乱させて出射する散乱手段と、前記散乱手段に空隙を介して対向し、前記散乱手段から入射する散乱光を集光させて出射する集光手段とを具備したことを特徴とする。
【発明の効果】
【０００６】
本発明によれば、簡単な構成で、散乱光による高い装飾効果や演出効果を実現することができる。
【発明を実施するための最良の形態】
【０００７】
以下、図面を参照して本発明の実施形態を説明する。図１乃至図３は本発明の第１の実施形態に係わり、図１は発光装置の要部断面図、図２は発光装置の分解斜視図、図３はＬＥＤから出射した光の挙動を示す説明図である。
【０００８】
図１，２において、符号１は、特に遊技機等に好適な発光装置を示す。この発光装置１は、例えば、表面実装型の発光ダイオード（ＬＥＤ）１２を光源とする光源ユニット１０と、この光源ユニット１０に冠設する光学系ユニット２０とを有する。
【０００９】
光源ユニット１０は、ＬＥＤ基板１１を有する。ＬＥＤ基板１１は、その基板面上に複数のＬＥＤ１２（例えば、青色、赤色、或いは、緑色に発光する各３個のＬＥＤ１２）を半田付け等によって保持し、保持した各ＬＥＤ１２を図示しない電源回路と電気的に接続する。ここで、この光源ユニット１０では、電源回路からの給電状態に応じて、各ＬＥＤ１２を発光色毎に選択的に点灯させたり、異なる発光色のＬＥＤ１２を同時に点灯させる等、様々なバリエーションで各ＬＥＤ１２を点灯させることが可能である。なお、図中符号１３は、各ＬＥＤ１２の発光効率を向上させるための放熱フィンであり、この放熱フィン１３はＬＥＤ基板１１の裏面に固着している。
【００１０】
光学系ユニット２０は、筐体２１と、この筐体２１に収容保持される散乱手段としての散乱板２２、及び、集光手段としての集光レンズ２３を有する。
【００１１】
図２に示すように、本実施形態において、筐体２１は、略角筒形状をなし、その光軸方向の一端にＬＥＤ挿入口３０が開口している。また、筐体２１の光軸方向の他端には、ＬＥＤ挿入口３０に対向する出射口３１が開口している。そして、図１に示すように、筐体２１は、光源ユニット１０に冠設した際に、ＬＥＤ挿入口３０を通じて各ＬＥＤ１２を内部に露呈させ、各ＬＥＤ１２の出射平面１２ａを出射口３１に対向させる。
【００１２】
また、筐体２１は、一側に開口する光学部材挿入口３３を有し、この光学部材挿入口３３に隣接する各側壁の内側に、ＬＥＤ挿入口３０側から順に、互いに対向する散乱板保持溝３６、及び、集光レンズ保持溝３７を有する。
【００１３】
散乱板２２は、例えば、散乱板保持溝３６に挿入保持される平面略矩形形状の光透過性基板２２ａの出射側に、複数の凹凸部からなる散乱面２２ｂが形成された光学部材である。本実施形態において、散乱面２２ｂは、例えば、不規則な形状の凹凸が配列する、いわゆるシボ形状（梨子地形状）となっている。そして、散乱板２２は、散乱面２２ｂの凹凸による屈折や反射等によって、ＬＥＤ１２から入射した光を散乱させて出射する（図３参照）。
【００１４】
集光レンズ２３は、例えば、集光レンズ保持溝３７に挿入保持される平面略矩形形状のレンズ基板２３ａ上に、複数のレンズ部２３ｂが一体形成されたレンズアレイである。本実施形態において、各レンズ部２３ｂは入射側のみにレンズ面を有する片凸のレンズ部で構成されており、これらは、レンズ基板２３ａ上にマトリクス状に配列している。そして、集光レンズ２３は、散乱板２２に空隙を介して対向することにより、散乱板２２から入射する散乱光を、各レンズ部２３ｂでそれぞれ所定に集光させて出射する（図３参照）。この各レンズ部２３ｂでの集光により、散乱板２２で形成される散乱光の輝度ムラは強調され、結果として、発光装置１からはメリハリの利いた強烈な散乱光が発光する。
【００１５】
ここで、この集光レンズ２３による散乱光の調整は、散乱板２２に対する集光レンズ２３の相対位置（すなわち、筐体２１内での散乱板保持溝３６と集光レンズ保持溝３７との相対位置）を調整することで実現する。すなわち、本実施形態においては、例えば、各レンズ部２３ｂの焦点位置が散乱面２２ｂと一致するとき、集光レンズ２３は散乱光を略平行光に集光させるよう設定されており、これら散乱板２２と集光レンズ２３との位置調整を行うことにより、発光装置１が発光する散乱光の状態をチューニングすることが可能となっている。
【００１６】
なお、図２中符号４５は側板であり、この側板４５は、散乱板２２及び集光レンズ２３を筐体２１内に収容後に、例えば粘着テープ等による貼着によって、筐体２１の光学部材挿入口３３を閉塞する。
【００１７】
このような実施形態によれば、ＬＥＤ１２から出射する光を散乱板２２で散乱させ、さらに、この散乱光を集光レンズ２３で所定に集光することにより、簡単な構成で、メリハリの利いた強烈な散乱光を発光することができる。そして、このようにメリハリの利いた強烈な散乱光を装飾光や演出光として使用することにより、散乱光による高い装飾効果や演出効果を実現することができる。
【００１８】
また、集光レンズ２３をレンズアレイで構成することにより、各レンズ部２３ｂ自身による個別の作用のみならず、集光レンズ２３全体としてのレンズ面の不連続性によっても散乱光の状態を変化させることができ、ユーザに対し、よりインパクトの強い散乱光を発光することができる。すなわち、複数のレンズ部２３ｂの配列によって集光レンズ２３には全体として不連続なレンズ面が形成されるので、集光レンズ２３への入射位置に応じて散乱光の挙動を変化させることができ、よりメリハリの利いた強烈な散乱光を発光することができる。
【００１９】
また、集光レンズ２３の焦点位置を散乱板２２の近傍に設定することにより、結果として、各ＬＥＤ１２を集光レンズ２３の焦点位置から外れた位置に配設することができるので、各ＬＥＤ１２の外部からの視認性を低下させることができ、外観上の美観を向上することができる。
【００２０】
また、集光レンズ２３の各レンズ部２３ｂを片凸レンズで構成し、各レンズ部２３ｂのレンズ面を散乱板２２側に対向させることにより、集光レンズ２３が筐体２１から外部に露呈する部分を平面化することができ、発光装置１の清掃等を行う際のメンテナンス性を向上することができる。
【００２１】
次に、図４及び図５は本発明の第２の実施形態に係わり、図４は発光装置の要部断面図、図５は発光装置の分解斜視図である。ここで、本実施形態において、発光装置５１は、複数のＬＥＤ１２に代えて、異なる複数種類の色の発光が可能な単一のＬＥＤ６２を光源として採用している。また、散乱板２２に代えて、散乱板７２を散乱手段として採用している。また、集光レンズ２３に代えて、集光レンズ７３を集光手段として採用している。さらに、ＬＥＤ６２と散乱板７２との間には、導光板７５が介装されている。その他、上述の第１の実施形態と同様の構成については、同符号を付して説明を省略する。
【００２２】
散乱板７２は、例えば、散乱板保持溝３６に挿入保持される平面略矩形形状の光透過性基板７２ａの出射側に、複数の凹凸部からなる散乱面７２ｂが形成された光学部材である。本実施形態において、散乱面７２ｂは、例えば、複数の三角錐プリズムの幾何学的な配列によって構成されている。そして、散乱板７２は、散乱面７２ｂの凹凸による屈折や反射等によって、ＬＥＤ６２から入射した光を所定の規則性で散乱させて出射する。
【００２３】
集光レンズ７３は、例えば、集光レンズ保持溝３７に挿入保持される平面略矩形形状のレンズ基板７３ａ上に、レンズ部７３ｂが一体形成されたフルネルレンズである。本実施形態において、レンズ部７３ｂは入射側のみにレンズ面を有する片凸のレンズ部で構成されており、このレンズ部７３ｂのレンズ面は、環状の曲面部が同心上に連なる不連続なレンズ面となっている。
【００２４】
また、導光板７５は、略直方体形状をなす光透過性の光学部材で構成され、ＬＥＤ６２側から入射した光を散乱板７２側へと導く。その際、導光板７５は、ＬＥＤ６２からの入射光を側壁で全反射させながら散乱板７２側へと導くことにより、単一のＬＥＤ６２から出射する光を散乱板７２の全面に入射させる。
【００２５】
このような実施形態によれば、上述の第１の実施形態で得られる効果に加え、散乱板７２の散乱面７２ｂに形成した幾何学的なカット（凹凸）と、集光レンズ７３のレンズ部７３ｂに形成した不連続なレンズ面との組み合わせによって、散乱光を所定の模様形状に集光できるという効果を奏する。具体的には、散乱板７２と集光レンズ７３との相互作用によって、高輝度な複数の光束が幾重もの環状に連なる模様の散乱光を形成することができる。
【００２６】
また、ＬＥＤ６２と散乱板７２との間に導光板７５を介装することにより、少数のＬＥＤ６２を光源として用いた場合であっても散乱板７２の全面に光を入射させることができ、しかも、散乱光の模様を、ユーザの見る角度に応じて変化させることができる。
【００２７】
なお、本実施形態において、集光レンズ７３は、上述の第１の実施形態で説明した集光レンズ２３と同様、レンズ基板７３ａ上に複数のレンズ部７３ｂを配列して構成したものであってもよいことは勿論である。
【００２８】
次に、図６は本発明の第３の実施形態に係わり、図６は本発明の遊技機としてのスロットマシンを実施するための一実施形態を示す正面図である。
【００２９】
図６に示すように、本実施形態において、スロットマシン１００には、周面に絵柄を有する３つのリール１０１〜１０３、各回転リールの連続する３つの絵柄を見せるためのリール窓１０４（したがって、全部で９個の絵柄がリール窓１０４から見える。）、回転リール１０１〜１０３の回転を開始させるためのスタートレバー１０５、メダル投入口１０６、メダルの払い出し口１０７、メダルの受け皿１０８、クレジットから開始するためのクレジットベットボタン１０９〜１１１（メダル３枚掛けのボタン１０９、２枚掛けボタン１１０、１枚掛けボタン１１１）、クレジットの清算ボタン１１２、音声を出力するスピーカ１１３、クレジットの残枚数表示器１１４、払い出し枚数の表示やボーナス時のゲームの残挑戦回数などを表示する表示器１１５、ならびに遊技者が各回転リールを停止させるためのストップボタン１２１〜１２３などが具備されている。なお、符号１２４は、クレジットにするか否かを選択するクレジット選択スイッチであり、このスイッチ１２４がオンのときは、メダルの払い出しが５０枚までは、内部にクレジットとして貯えることができる。払い戻しは、クレジット清算ボタン１１２を押すことにより、クレジットの残枚数表示器１１４に表示されている枚数のメダルが払い出される。
【００３０】
また、３つの回転リール１０１〜１０３の上部には、ゲームの演出光を発する発光装置として、例えば、上述の第１の実施形態で説明した構成の発光装置１が配設されている。なお、本実施形態において、発光装置１は幅方向に細長な形状となっている。
【００３１】
そうして、ゲームの方法は、遊技者がまず１枚ないし複数枚（２はたは３枚）のメダルを投入口１０６に投入した後に、スタートレバー１０５を操作することで、全リール１０１〜１０３の回転を開始させる。次に、ストップボタン１２１〜１２３を押下することで、次々と、リールの回転を停止させていく。ゲームは、メダルの投入枚数にしたがい直線上（メダル１枚投入時は入賞ラインの水平線１本、メダル２枚投入時は入賞ラインの水平線３本、メダル３枚投入時は入賞ラインの水平線３本と入賞ラインの斜め方向の２本の線２本の合計５本の直線上）に特定の絵柄が揃うと、「役」や「大当たり」（ボーナスゲームや、ビッグ・ボーナスゲーム）となり、それに応じたゲームの開始になったり、所定の枚数のメダルを下部に設けられたメダル払い出し口１０７からメダル受け皿口１０８へ排出する。なお、メダルの排出に代わって、スロットマシンをクレジット処理の状態（クレジット選択スイッチ１２４がオンの状態）にしておくと、メダルの払い出しは５０枚までなされず、クレジットの表示器１１４にクレジットの枚数が加算され表示される。
【００３２】
また、スロットマシン１００は、例えば、「役」や「大当たり」が発生した際に、発光装置１を発光させることで（すなわち、内部の各ＬＥＤ１２を点灯させることで）、ゲームを演出する。
【００３３】
なお、上述の各実施形態においては、光源として表面実装型のＬＥＤを用いた一例について説明したが、本発明はこれに限定されるものではなく、例えば、いわゆる砲弾型のＬＥＤを光源として用いてもよく、その他、各種放電管等を光源として用いてもよいことは勿論である。
【００３４】
また、本発明の発光装置を適用する遊技機は、スロットマシンに限定されるものではなく、例えば、パチンコ機やゲーム機等の各種遊技機に適用が可能であることは勿論である。
【図面の簡単な説明】
【００３５】
【図１】本発明の第１の実施形態に係わり、発光装置の要部断面図
【図２】同上、発光装置の分解斜視図
【図３】同上、ＬＥＤから出射した光の挙動を示す説明図
【図４】本発明の第２の実施形態に係わり、発光装置の要部断面図
【図５】同上、発光装置の分解斜視図
【図６】本発明の第３の実施形態に係わり、遊技機としてのスロットマシンを実施するための一実施形態を示す正面図
【符号の説明】
【００３６】
１…発光装置、１０…光源ユニット、１２…発光ダイオード（光源）、２０…光学系ユニット、２２…散乱板（散乱手段）、２２ａ…光透過性基板、２２ｂ…散乱面、２３…集光レンズ（集光手段）、２３ａ…レンズ基板、２３ｂ…レンズ部、５１…発光装置、７２…散乱板（散乱手段）、７２ａ…光透過性基板、７２ｂ…散乱面、７３…集光レンズ（集光手段）、７３ａ…レンズ基板、７３ｂ…レンズ部、７５…導光板、１００…スロットマシン（遊技機）
代理人    弁理士      伊    藤      進
【図１】
2006223762.tif 000003
【図２】
2006223762.tif 000004
【図３】
2006223762.tif 000005
【図４】
2006223762.tif 000006
【図５】
2006223762.tif 000007
【図６】
2006223762.tif 000008